(57)【特許請求の範囲】
【請求項１】
ドア又は窓のフレームに取り付け可能であり、前記窓のフレームの第１の側部に取り付けられるようになされた第１のレール（１０）と、前記フレームの反対側の第２の側部に着脱自在に取り付けられるようになされた第２のレール（１２）と、前記第１及び第２のレールの間で伸長する弾性的に緊張可能なケーブル（１６）と、該ケーブルによって支持されていて、該ケーブルにより、前記ドア又は窓に関して伸長位置と後退位置との間で支持され且つ案内される可撓性の遮蔽用材料（１４）と、前記ケーブル（１６）を緊張させる緊張手段とを備えている、遮蔽用組立体であって、前記緊張手段は、スライダ（１８）と、該スライダに設けられるクランプ（４４）とを備えており、前記スライダは、前記第１及び第２のレール（１０、１２）の一方のレールに沿って手動操作で動かすことができると共に、前記ケーブル（１６）に取り付けられており、前記クランプは、前記スライダを前記第１のレール（１０）又は第２のレール（１２）の上の所望の位置に保持して前記ケーブルに所望の張力を与え、これにより、前記レールは、前記フレームに係合した状態に保持され、あるいは、前記フレームとの係合から自由に解放されるように構成されたことを特徴とする遮蔽用組立体。
【請求項２】
請求項１に記載の遮蔽用組立体において、前記スライダ（１８）に設けられる前記クランプ（４４）は、セルフロック式のクランプであり、前記ケーブル（１６）は、前記クランプに取り付けられていることを特徴とする遮蔽用組立体。
【請求項３】
請求項１又は２に記載の遮蔽用組立体において、前記レール（１０、１２）は、長手方向に伸長する連続的な側面（３１）と、一定の横断面とを有しており、前記クランプ（４４）は、前記レール（１０、１２）の前記側面（３１）にロック式に係合する解除可能な手段を備えていることを特徴とする遮蔽用組立体。
【請求項４】
請求項３に記載の遮蔽用組立体において、前記解除可能な手段は、前記レール（１０、１２）の前記側面（３１）に圧接される自由端（４８、４９）を有する曲がりワイヤのバネ（４４）を有しており、前記ケーブル（１６）は、前記バネに取り付けられていることを特徴とする遮蔽用組立体。
【請求項５】
請求項４に記載の遮蔽用組立体において、前記バネ（４４）は、対称的な形状を有しており、２つの自由端（４８、４９）と、これら自由端（４８、４９）に設けられていて前記レール（１０、１２）の前記側面（３１）に押圧される２つの鋭利な縁部（５０、５１）とを含んでいることを特徴とする遮蔽用組立体。
【請求項６】
請求項４又は５に記載の遮蔽用組立体において、前記スライダ（１８）は、前記バネの自由端（４８、４９）付近で前記バネに係合可能な傾斜面（５２、５３）を有しており、該傾斜面は、前記バネの鋭利な縁部（５０、５１）を前記側面（３１）から取り除き、従って、前記スライダ（１８）が前記レール（１０、１２）に沿って動くことを許容するように構成されたことを特徴とする遮蔽用組立体。
【請求項７】
請求項６に記載の遮蔽用組立体において、前記スライダ（１８）は、前記バネの前記２つの自由端（４８、４９）付近で前記バネに係合可能な一対の傾斜面（５２、５３）を有しており、これら傾斜面は、前記側面（３１）から前記鋭利な縁部（５０、５１）を取り除き、これによって、前記スライダ（１８）が前記レール（１０、１２）に沿って動くことを許容するように構成されたことを特徴とする遮蔽用組立体。
【請求項８】
請求項１乃至７のいずれか一に記載の遮蔽用組立体において、前記レールが下部レールであることを特徴とする遮蔽用組立体。
【請求項９】
請求項１乃至８のいずれか一に記載の遮蔽用組立体において、前記クランプ（４４）は前記レール（１０，１２）にロック式に係合して該レール（１０，１２）に沿って所望位置に前記スライダ（１８）を保持するための手動で解除可能な手段（４５，４６，４７，４８，４９）からなることを特徴とする遮蔽用組立体。
【請求項１０】
請求項９に記載の遮蔽用組立体において、前記クランプ（４４）は外方部（３８）を有するとともに前記レール（１０，１２）に沿って該外方部（３８）を押動せしめることにより前記レールに沿って自在に可動であることを特徴とする遮蔽用組立体。
【請求項１１】
請求項３乃至７のいずれか一に記載の遮蔽用組立体において、前記解除可能な手段（４５，４６，４７，４８，４９）は前記レール（１０，１２）の前記長手方向に伸長する側面（３１）に対して自由端（４８，４９）を選択的に拘束する脚部（４６，４７）からなる手動で解除可能な手段であることを特徴とする遮蔽用組立体。
【発明の詳細な説明】
【０００１】
【発明の属する技術分野】
本発明は、建築物開口部の遮蔽用組立体、特に、ドア又は窓のフレームに取り付けることのできる遮蔽用組立体に関する。より詳細に言えば、本発明は、緊張されたガイドワイヤ、ガイドコード又はガイドケーブルを有する、ベネチアンブラインド又はプリーツ型のシェードの如き遮蔽用組立体に関する。
【０００２】
【従来の技術】
上述の組立体は、傾斜面、あるいは、ドア又は乗物の窓の如き移動物体に使用される。上述の組立体の例は、米国特許第４，４３３，７１３号、米国特許第４，７３３，７１１号、米国特許第４，７５３，２８１号及び米国特許第４，６７３，０１８号、並びに、欧州特許第０３８８７８８号（ＥＰ−Ｂ−０３８８７８８）に示されるシェード及びブラインドである。しかしながら、そのような組立体は、クリーニングするために取り外すことが困難であることが分かった。
【０００３】
上記問題を解消するために、米国特許第４．４６０，２１５号は、窓遮蔽用組立体の前方部にオーバーセンター型のラッチレバーを用いて、そのような組立体をドア又は窓の枠に取り付けられた取り付けブラケットに係合した状態に保持することを開示している。上記取り外し可能な組立体は、フレームの頂部に設けられた取り付けブラケットに係合した状態で取り外し自在に保持される両端部を有している、長手方向に長い第１のレールすなわち上部レールと、上記フレームの底部に設けられている取り付けブラケットに係合した状態で取り外し自在に保持される両端部を有している、長手方向に長い第２のレールすなわち下部レールと、上記２つの上部及び下部レールの間で伸長していて弾性的に捻ることのできる一対のケーブルと、該ケーブルによって支持されており、該ケーブルによって窓の開口部に対して伸長状態と後退状態との間で案内される可撓性のカバーとを備えるものである。上記オーバーセンター型のラッチレバーは、上記ケーブルを緊張させて上記上部レール及び下部レールを上記フレームの取り付けブラケットに係合した状態で維持すると共に、上記ケーブルの張力を解放して、上記下部レールを最初に上記フレームの底部の取り付けブラケットから離し、その後、上記上部レールを上記フレームの頂部のブラケットから離すようになっている。この組立体は、かなり満足すべきものではあるが、そのオーバーセンター型のラッチレバーは、特に、小型のブラインド又はシェードの組立体と共に使用する場合には、大型で見苦しいものである。
【０００４】
【発明が解決しようとする課題及び課題を解決するための手段】
上記米国特許第５，４６０，２１５号の取り外し自在な窓遮蔽用組立体に伴う問題を解消するために、本発明は、上記組立体の各々のケーブルを緊張させるための手段を提供し、この手段は、ケーブルに取り付けられていて第１のレール又は第２のレールに沿って手動操作で運動可能なスライダと、該スライダに設けられていて該スライダを上記レール上の所望の位置に保持するクランプとを備えており、該クランプは、上記ケーブルに所望の張力を与えて、上記レールを上記フレームの取り付けブラケットに係合した状態に保持するか、あるいは、上記フレームの取り付けブラケットとの係合から解放するように構成されている。本発明のスライダは、該スライダがその上で摺動するレールの外部から手動操作によって作動させることができ、上記レールは、窓又はドアのフレームに取り付けることができる。窓自体又は組立体をクリーニングするために上記組立体を取り外す手順は、上記組立体を窓のフレームに取り付ける工程とは反対の手順である。ケーブルの張力を解放した後に、レールをフレームに取り付けている取り付けブラケットからレールを離すことができる。
【０００５】
本発明の別の特徴によれば、上記スライダに設けられるクランプは、セフルロッキング式のクランプであり、上記ケーブルは、上記クランプに取り付けられる。
【０００６】
本発明の更に別の特徴によれば、各々のスライダに関連して設けられるレールは、長手方向に伸長する連続的な側面と、一定の横断面とを効果的に備えており、上記クランプは、上記レールの側面にロック式に係合するための解除可能な手段を有している。
【０００７】
本発明の更に別の特徴によれば、上述の解除可能な手段は、曲がりワイヤのバネを効果的に備えており、このバネは、上記レールの側面に圧接する自由端を有しており、上記ケーブルの一端部は、上記曲がりワイヤのバネに取り付けられている。上記バネは、上記レールの側面に圧接される２つの自由端を有する対称的なバネであるのが好ましい。特に効果的な構成においては、上記スライダは、上記ワイヤバネの一方又は両方の自由端付近で該ワイヤバネに係合可能な１又はそれ以上の傾斜面を有しており、該傾斜面は、上記一方又は両方の自由端を上記レールの側面から偏向させて、上記スライダが上記レールに沿って動けるようにする。
【０００８】
本発明のスライダは、窓遮蔽用組立体の上部レール又は下部レールのいずれかに取り付けることができるが、本発明の別の特徴によれば、上記スライダは、窓又はドアのフレームの取り付けブラケットから最初に離れるレールに取り付けられる。
【０００９】
【発明の実施の形態】
本発明の更なる特徴は、特定の実施例に関する以下の詳細な説明及びその図面から明らかとなろう。
【００１０】
最初に図１を参照すると、参照符号１でその全体を示す遮蔽用組立体が概略的に示されており、この遮蔽用組立体は、窓又はドアの如き建築物の開口部用のシェード又はブラインドであるのが好ましい。遮蔽用組立体１は、第１のレールすなわち上部レール１０を有しており、この上部レールは、取り付けブラケット（図示せず）の如き通常の手段によって、窓（図示せず）のフレームに着脱自在に取り付けることができる。上記遮蔽用組立体１は、また、第２のレールすなわち下部レール１２を有しており、この下部レールも、ブラケット（図示せず）の如き通常の手段によって、窓のフレームに着脱自在に取り付けることができる。このタイプにおいては通常行われるように、１又はそれ以上（この実施例においては２つ）の緊張されたケーブル１６も設けられている。これらのケーブル１６は、スライダ１８に関して後に説明する緊張可能な状態で、上部レール１０及び下部レール１８に取り付けられている。可撓性のカバー１４は、ケーブル１６によって支持され且つ案内されており、通常の手段によって、上記両レール１０、１２の間で垂直方向に伸長及び後退することができる。この点に関して、遮蔽用組立体１のレール１０、１２、カバー１４及びケーブル１６は、上述の米国特許第５，４６０，２１５号に図示され且つ記載されているものに極めて類似している。
【００１１】
本発明によれば、遮蔽用組立体１は、各々のケーブル１６を緊張させるための緊張手段も備えている。そのような緊張手段は、２つのスライダ１８と、該スライダに設けられているロック機構又はクランプ４４とから成る形態を有しており、上記各々のスライダは、上記下部レール１２に沿って長手方向に手動操作で運動可能であると共に、一方のケーブル１６に取り付けられており、また、上記ロック機構は、上記スライダを上記レール上の所望の長手方向の位置に保持すると共に、上記ケーブルを所望の張力に保持して、上記下部レール１２を、該下部レール１２をフレームに対して保持している取り付けブラケットに固定するか、あるいは、上記下部レール１２を、該下部フレームを上記フレームに対して保持している取り付けブラケットから解除するように構成されている。
【００１２】
図２及び図４は、上記スライダ１８の一方、及び、上記下部レール１２に設けられる上記スライダのクランプ４４の細部を示している。
【００１３】
図４に最も良く示すように、下部レール１２は、その全長に沿う水平方向の主ウエブ又はビーム２０と、該主ビームの一方の側に設けられていて、該主ビームに対して実質的に平行に伸長していると共に、上記主ウエブの前方部及び後方部に接続されている２つの水平方向の上部フランジ２２、２３と、上記主ビームの他方の側に設けられていて、上記主ウエブ２０の前方部及び後方部に接続されている２つの水平方向の下部フランジ２４、２５とを備えている。上部及び下部のフランジ２２−２５は、主ウエブ２０の上方及び下方の側部の上で、これら上部及び下部のフランジの間に水平方向のギャップを有している。前方の下部フランジ２４は、下方に伸長する部材２６を有しており、該部材は、その下方端で前方に伸長するフランジ２７と、後方を向いた面２８とを有している。後方の下部フランジ２５は、下方に伸長する部材２９を有しており、該部材は、その下方端で後方に伸長するフランジ３０と、前方を向いた面３１とを有している。側方に伸長するフランジ２７、３０の長手方向の自由端（図示せず）は、下部レール１２を通常の態様で窓のフレーム（図示せず）に取り付けるためのブラケット（これも図示されていない）に係合するようになっている。
【００１４】
スライダ１８は、プラスチック材料の成形物として形成されるのが好ましく、下部レール１２の一定の断面に沿って摺動するようになっている。この点に関して、下部レールは、長手方向に伸長する連続的な前方の側面３１を含む図４の断面図に示す一定の形状を有するように押出成形されるのが好ましい。
【００１５】
図２乃至図４は、水平方向に伸長する底部３２を有するスライダ１８を示しており、該底部の後方部には、長手方向に隔置されていて上方に伸長する平行な一対のフランジ３３が設けられている。各フランジ３３の後部には、後方に伸長する上部及び下部の保持ドッグ３４、３６が設けられており、これら保持ドッグは、下部レール１２の後方の下部フランジ２５のそれぞれの上面及び下面に係合する（好ましくは、摺動可能に当接する）。底部３２の前方部に接続されているのは、前方部又は外方部３８であって、この前方部又は外方部は、その前方部に上方に伸長するフランジ３９を有している。このフランジ３９は、その後方部に後方に伸長する別の保持ドッグ４０を有している。この保持ドッグ４０、及び、上記前方部３８の上面は、下部レール１２の前方の下部フランジ２４で下方に伸長する部材２６の前方に伸長するフランジ２７のそれぞれの上面及び下面に係合する（好ましくは、摺動可能に当接する）。スライダ１８の前方部３８の上方に伸長するフランジ３９の後方面４２も、レール１２の前方部に沿って摺動するようになっている。この構成を用いた場合には、スライダ１８自体が、レール１２に沿って長手方向に自由に運動することができる。
【００１６】
図２、図５及び図６に示すように、曲がりワイヤのバネクランプ４４が、水平方向に伸長する底部３２の上方のスライダ１８の中で水平方向に設けられている。上記クランプ４４は、対称的であり、スライダ１８の前方部に対して平行な長手方向に伸長するベース部分４５と、該ベース部分４５の長手方向の端部から後方に伸長する内方に収束するように曲がった脚部４６、４７とを有している。これら脚部４６、４７の後方の自由端４８、４９は面取りされていて鋭利な縁部５０、５１を形成しており、これら縁部は、下部レール１２の後方の下部フランジ２５の下方に伸長する部材２９の対向する前方の側面３１と摺動可能に当接している。
【００１７】
図２（鎖線）、図３及び図６に示されているのは、後方に向かって収束する傾斜面５２、５３であって、これら傾斜面は、スライダ１８の水平方向に伸長する底部３２に設けられていて長手方向に隔置され上方に伸長している一対のフランジ３３の対向する長手方向の縁部に設けられている。各々の傾斜面５２、５３は、バネ４４の脚部４６、４７の一方の後方部に当接して係合することができる。
【００１８】
図２に示すように、スライダ１８のバネワイヤのクランプ４４の右側部分が、ケーブル１６の一方に取り付けられている。使用の際には、上記ケーブルを緊張させるために、スライダ１８の前方部３８の右側の側部を単に左側へ押すことによって、スライダ１８を手動操作で左側へ動かす。このようにすることによって、スライダ１８、及び、クランプ４４の右側の脚部４７に当接している上記スライダの傾斜面５３は、最初に、クランプ４４と相対的に動き、これにより、傾斜面５３は、右側の脚部４７を前方へ押圧し、従って、上記右側の脚部４７の自由端４９にある鋭い縁部５１は、下部レール１２の後方の下部フランジ２５の下方に伸長する部材２９の前方を向いた面３１から前方に隔置された位置５１Ａ（図５に破線で示す）へ押圧される。スライダ１８が左側へ引き続き動くことにより、スライダ及びクランプから成る組立体全体が、左側へ動き、左側の脚部４６の自由端４８にある他方の鋭い縁部５０は、下部レール１２の後方の下部フランジ２５の下方に伸長する部材２９の前方を向いた面３１に沿って、グリップ作用から離れる方向に動く。ケーブル１６が、下部レール１２をフレーム上の取り付けブラケットに係合した状態に保持するように、適正に緊張された時に、スライダ１８の右側の側部から押圧力が取り除かれ、上記スライダは次に、バネワイヤのクランプ４４を緩める作用によって、右側に向かって若干戻る。この点に関して、ケーブル１６の張力は、クランプ４４を右側へ引き戻す傾向を有しているが、クランプ４４の左側の脚部４６の鋭い縁部５０、及び、この時点において下部レール１２の下方に伸長する部材２９の前方を向いた面３１に接触している右側の脚部４７の他方の鋭い縁部５１の短い範囲の部分が、クランプ４４及びスライダ１８が右側へ更に動くことを阻止する。
【００１９】
従って、バネワイヤのクランプ４４は、スライダ１８にセルフロック機能を与えて、上記スライダ、及び、該スライダに取り付けられたケーブル１６を下部レール１２上の所望の位置にロックし、これにより、ケーブルの張力を維持する。
【００２０】
スライダ１８の若干変更された構造が、図６及び図７に示されており、この構造の同様な部品は、上述の同様な参照符号で示されている。この実施例においては、スライダ１８の前方部３８は、開口部５８を有するハンドグリップとして形成されており、スライダの内方部分６０は、バネワイヤのクランプ４４をより容易に収容するように、若干変更されている。ケーブル１６は、クランプ４４の左側の脚部４６に取り付けられており、これにより、スライダ１８が矢印６４で示すように右側へ動くと、傾斜面５２がクランプの左側の脚部４６に係合して、クランプの左側の鋭い縁部５０を下部レール１２の後方の下部フランジ２５の下方に伸長する部材の前方を向いた面３１から持ち上げ、これにより、スライダ１８、従って、ケーブル１６を右側へ動かしてケーブルを緊張させる。
【００２１】
本発明の遮蔽用組立体１の上述の説明においては、上記組立体は、対向する窓のフレーム部材に取り付けられた通常の上部及び下部のレール１０、１２を有するものとして説明されている。しかしながら、上部レール１０は、更に、可撓性を有する遮蔽用材料１４用の通常の進退機構を含むことができ、また、可撓性を有する遮蔽用材料の下方端には、運動可能な通常のウェートバーすなわち補強部材を設けることができることを理解する必要がある。この点に関して、上記遮蔽用材料の進退機構は、上述のウェートバーすなわち補強部材に取り付けられていて可撓性の遮蔽用材料を収縮させるコードロックと協働する両端部を有する通常のリフトコードの形態とすることができる。別の実施例においては、上記可撓性の遮蔽用材料自体を、可撓性の遮蔽用材料を収納する通常のバネ作動式又はコード作動式のローラに取り付けることができる。
【００２２】
また、上述の遮蔽用組立体が、同じ材料又は異なる材料がその間に設けられる可動バー又は可動ビームを各々の有する複数の別個の部分を有することは異例なことではない。
【００２３】
最後に、可撓性の遮蔽用材料１４は、プリーツを有する又はプリーツを有しない遮光布とすることができ、あるいは、ラダーコードで交互に編まれたブラインドスラットの列によって形成することができる。
【００２４】
勿論、本発明は、上述の実施例においては限定されるものではなく、上述の実施例は、本発明の範囲から逸脱することなく、あるいは、本発明の利点を損なうことなく、変更することができる。この点に関して、上の記載において用いた用語、例えば、「上部又は上方」、「下部又は下方」、「前方」、「後方」、「上方へ」、「下方へ」、「右側」及び「左側」は、本発明の遮蔽用組立体の種々の要素の関係を説明するための相対的な用語にすぎない。
【図面の簡単な説明】
【図１】本発明の窓遮蔽用組立体の一実施例の概略図である。
【図２】通常は窓の下部フレームに隠れている図１の組立体の下部レールを下方から見た場合の平面図であって、下部レールに設けられるスライダ及びそのロッククランプを示している。
【図３】上記スライダの上方から見た場合の図２のスライダの拡大正面図である。
【図４】図２の下部レールの拡大側面図であって、上記スライダが上記下部レールの上の適所に位置している状態を示している。
【図５】図２のスライダに関連して設けられる曲がりワイヤのロッククランプの平面図である。
【図６】別の実施例のスライダを備えた窓遮蔽用組立体の下部レールを一部断面で示す図２と同様の平面図である。
【図７】図６の組立体の下部レールを下方から見た場合の分解図である。
【符号の説明】
１０  第１のレール（上部レール）
１２  第２のレール（下部レール）
１４  遮蔽用材料
１６  ケーブル
１８  スライダ
３１  レールの側面
４４  バネクランプ
４８、４９  バネの自由端
５０、５１  バネの鋭利な縁部
５２、５３  スライドの傾斜面
【図１】
0004005689.tif 000002
【図２】
0004005689.tif 000003
【図３】
0004005689.tif 000004
【図４】
0004005689.tif 000005
【図５】
0004005689.tif 000006
【図６】
0004005689.tif 000007
【図７】
0004005689.tif 000008